(57)【要約】【課題】目当ての機能を有し、携帯し易く、カメラを簡単に望遠鏡に接続することができるアタッチメントを提供する。【解決手段】アタッチメント部品３内にその中心軸方向へ移動可能かつ中心軸回りに回転可能に目当て環５を収容する。アタッチメント部品３と目当て環５との間に操作環７を中心軸周りに回転可能に配置するとともに、その一部をアタッチメント部品３から突出させる。操作環７の回転を目当て環５に伝達して目当て環５をアタッチメント部品３の中心軸方向へ移動させるカム機構を設ける。【選択図】図１
2009048048.tif 000002
【特許請求の範囲】
【請求項１】
カメラを装着するブラケットが装着される筒状のアタッチメント部品と、
このアタッチメント部品内にその中心軸方向へ移動可能に収容された目当て環と
を備えることを特徴とするアタッチメント。
【請求項２】
力を受けることによって前記アタッチメント部品に対して移動可能な操作環と、
前記操作環に加えられた力を前記目当て環に伝達して前記目当て環を前記中心軸方向へ移動させる伝達手段と
を備えることを特徴とする請求項１記載のアタッチメント。
【請求項３】
カメラを装着するブラケットが装着される筒状のアタッチメント部品と、
このアタッチメント部品内にその中心軸方向へ移動可能かつ前記中心軸回りに回転可能に収容され、一端部が前記アタッチメント部品から突出した繰出し環と、
前記中心軸周りの前記繰出し環の回転を前記繰出し環の前記中心軸方向への動きに変換する運動変換手段と
を備えることを特徴とするアタッチメント。
【請求項４】
前記目当て環の一端部が前記アタッチメント部品から突出した繰出し環を備えることを特徴とする請求項１記載のアタッチメント。
【請求項５】
接眼レンズ鏡筒の外周面を取り囲むように前記接眼レンズ鏡筒の外周面に回転可能に装着され、カメラを装着するブラケットが装着される筒状のアタッチメント部品と、
前記アタッチメント部品の回転運動を前記アタッチメント部品のその中心軸方向への動きに変換する運動変換手段と
を備えることを特徴とするアタッチメント。
【請求項６】
請求項１〜５のいずれか１項記載のアタッチメントを備えていることを特徴とする望遠鏡。
【発明の詳細な説明】
【技術分野】
【０００１】
この発明は望遠鏡にカメラを装着するためのアタッチメント及びそれを備えた望遠鏡に関する。
【背景技術】
【０００２】
従来、アイピース本体とアイカップ内筒とピンとカバーリングとアイカップ外筒兼用望遠鏡側アダプターとからなるアイカップ兼望遠鏡側アダプタ付きアイピースが知られている（下記特許文献１参照）。
【０００３】
アイピース本体はほぼ円筒状である。アイピース本体は、中間部と、この中間部の光入射側に設けられた係止部と、中間部のアイレンズ側に設けられた小外径部とを有する。中間部の小外径部側には雄ねじが形成されている。係止部は望遠鏡に連結される。
【０００４】
アイカップ内筒は、前部と、この前部より外径が大きい後部とを有する。後部の内径は前部の内径に等しい。前部には目切りゴムが装着される。後部にはカム溝が形成されている。後部はアイピース本体の小外径部の外周面に装着される。
【０００５】
ピンはアイピース本体の小外径部に固定され、アイカップ内筒のカム溝に挿入されている。
【０００６】
カバーリングの内周面には雌ねじが形成されている。この雌ねじをアイピース本体の中間部の雄ねじにねじ込むことによってカバーリングはアイピース本体に取り付けられ、カム溝とピンとを隠す。カバーリングの外径はアイピース本体の中間部の外径に等しい。
【０００７】
アイカップ外筒兼望遠鏡側アダプターはアイカップ内筒の前部に装着された目切りゴムを外した状態でアイピース本体及びアイカップ内筒に装着され、止めねじによってアイピース本体及びアイカップ内筒に固定される。
【０００８】
アイカップ内筒を回転させると、カム溝内をピンが相対的に移動し、アイカップ内筒がアイピース本体に保持されたレンズの光軸方向へ移動する。
【０００９】
上述のアイカップ兼望遠鏡側アダプタ付きアイピースを用いてカメラを望遠鏡に装着するには、アイカップ内筒の前部に装着された目切りゴムを外し、アイカップ外筒兼望遠鏡側アダプターをアイピース本体及びアイカップ内筒に装着し、止めねじで固定する。
【００１０】
その後、カメラに装着されたカメラ側アダプタをアイカップ望遠鏡側アダプタに装着する。
【特許文献１】特開２００６−１２６５８６号公報（段落００１９〜００２４、図１参照）
【発明の開示】
【発明が解決しようとする課題】
【００１１】
このように、従来のアイカップ兼望遠鏡側アダプタ付きアイピースでは、望遠鏡で観察するだけでなく、望遠鏡にカメラを装着して写真撮影をする予定がある場合に、アイピース本体等とは別部品のアイカップ外筒兼望遠鏡側アダプターを携帯する必要があり、持ち運ぶのが面倒であり、また、カメラを望遠鏡に装着するときにアイピース本体等にアイカップ外筒兼望遠鏡側アダプターを装着する必要があり、その作業が面倒であった。
【００１２】
この発明はこのような事情に鑑みてなされたもので、目当ての機能を有し、携帯し易く、カメラを簡単に望遠鏡に接続することができるようにすることである。
【課題を解決するための手段】
【００１３】
前述の課題を解決するため請求項１の発明のアタッチメントは、カメラを装着するブラケットが装着される筒状のアタッチメント部品と、このアタッチメント部品内にその中心軸方向へ移動可能に収容された目当て環とを備えることを特徴とする。
【００１４】
請求項３の発明のアタッチメントは、カメラを装着するブラケットが装着される筒状のアタッチメント部品と、このアタッチメント部品内にその中心軸方向へ移動可能かつ前記中心軸回りに回転可能に収容され、一端部が前記アタッチメント部品から突出した繰出し環と、前記中心軸周りの前記繰出し環の回転を前記繰出し環の前記中心軸方向への動きに変換する運動変換手段とを備えることを特徴とする。
【００１５】
請求項５の発明のアタッチメントは、接眼レンズ鏡筒の外周面を取り囲むように前記接眼レンズ鏡筒の外周面に回転可能に装着され、カメラを装着するブラケットが装着される筒状のアタッチメント部品と、前記アタッチメント部品の回転運動を前記アタッチメント部品のその中心軸方向への動きに変換する運動変換手段とを備えることを特徴とする。
【発明の効果】
【００１６】
この発明によれば、目当ての機能を有し、携帯し易く、カメラを簡単に望遠鏡に接続することができる。
【発明を実施するための最良の形態】
【００１７】
以下、この発明の実施の形態を図面に基づいて説明する。
【００１８】
図１はこの発明の第１の実施形態に係るアタッチメントの縦断面を示す概念図、図２は図１に示すアタッチメントの伝達手段を説明するための概念図、図３は図１に示すアタッチメントの横断面を示す概念図、図４Ａは図１に示すアタッチメントの目当て環が押し込まれた状態を示す側面図、図４Ｂは同アタッチメントの目当てゴムが突出した状態を示す側面図、図４Ｃは同アタッチメントの目当て環が更に突出した状態を示す側面図、図５は図１に示すアタッチメントによって望遠鏡にカメラを装着した状態の断面を示す概念図である。図４Ｂ、図４Ｃ中のハッチングで示した部分は目当てゴム１３である。
【００１９】
図１〜３に示すように、アタッチメント１はアタッチメント部品３と目当て環５と操作環７と固定環９とピン１１とを備えている。アタッチメント部品３、目当て環５、操作環７及び固定環９は金属製である。アタッチメント１は望遠鏡２０の接眼レンズ鏡筒２１の外周面に装着されている。
【００２０】
望遠鏡２０の接眼レンズ鏡筒２１は鏡筒本体２２とレンズ保持筒２３で構成されている。鏡筒本体２２はほぼ円筒状であり、その後端部（カメラ４１側の端部）にフランジ部２２ａを有する。フランジ部２２ａの内周面には雌ねじ２２ｂが形成されている。
【００２１】
レンズ保持筒２３は小径部２３ａと大径部２３ｂと連結部２３ｃとを有する。小径部２３ａは有底円筒状であり、その前端部（望遠鏡２０の対物レンズ（図示せず）側の端部）には開口２３ｄが形成されている。小径部２３ａの外周面には雄ねじ２３ｅが形成されている。大径部２３ｂは小径部２３ａの後端部（カメラ側の端部）に連結部２３ｃを介して連結されている。大径部２３ｂの内周面には雌ねじ２３ｆが形成され、大径部２３ｂの外周面には雄ねじ２３ｇが形成されている。レンズ保持筒２３の雄ねじ２３ｅを鏡筒本体２２の雌ねじ２２ｂに螺合することによって、レンズ保持筒２３が鏡筒本体２２に固定され、一体化されている。
【００２２】
レンズ保持筒２３内には第１、第２支持筒２４，２５が配置されている。第１支持筒２４は有底円筒状であり、その前端部には開口２４ａが形成されている。第１支持筒２４はレンズ１５を支持している。第２支持筒２５は有底円筒状であり、その後端部には開口２５ａが形成されている。第２の支持筒２５は開口２５ａの周縁部でレンズ１６を支持するとともに、レンズ１５に接触している。
【００２３】
レンズ１５はレンズ押え２６によって押えられる。レンズ押え２６はほぼ有底円筒状であり、その後端部には凹部２６ａが形成されているとともに、開口２６ｂが形成されている。また、レンズ押えの２６の後端部の外周面にはフランジ部２６ｃが形成されている。レンズ押さえ２６の前端部の外周面には雄ねじ２６ｄが形成されている。
【００２４】
アタッチメント部品３は大径部３ａと小径部３ｂと結合部３ｃとを有している。大径部３ａは円筒状であり、大径部３ａの前端部の内周面には環状突起３ｄが形成されている。小径部３ｂは円筒状であり、小径部３ｂは大径部３ａの後端部に連結部３ｃを介して連結されている。
【００２５】
目当て環５はほぼ円筒状である。目当て環５の前端部には３つの挿入孔５ａが周方向へ等間隔に形成されている。挿入孔５ａにはそれぞれピン１１の軸部１１ｂが挿入されている。目当て環５の後端部には環状溝５ｂが形成されている。環状溝５ｂに目当てゴム１３の環状突起１３ａを嵌合させることによって、目当て環５に目当てゴム１３が装着されている。目当て環５は固定環９の外周面に摺動可能に装着されている。
【００２６】
操作環７はほぼ円筒状である。操作環７には直線状溝７ａが形成されている。操作環７の後端部の外周面にはフランジ部７ｂが形成されている。フランジ部７ｂはアタッチメント部品３の小径部３ｂの後端面に当接する。操作環７の前端部の内周面には環状突起７ｃが形成されている。操作環７は目当て環５の外周面に摺動可能に装着されている。
【００２７】
固定環９はほぼ円筒状である。固定環９にはカム溝９ａが形成されている。固定環９の内周面には雌ねじ９ｂが形成されている。また、固定環９の前端部の外周面には第１のフランジ部９ｃと第２のフランジ部９ｄが形成されている。第１のフランジ部９ｃの外径は第２のフランジ部９ｄの外径よりも小さい。第１のフランジ部９ｃと第２のフランジ部９ｄとは一体である。
【００２８】
ピン１１の頭部１１ａは操作環７の直線状溝７ａに挿入され、ピン１１の軸部１１ｂは固定環９のカム溝９ａに挿入される。アタッチメント１を径方向から見たとき、ピン１１は直線状溝７ａとカム溝９ａの交点に位置する。
【００２９】
ピン１１と直線状溝７ａとカム溝９ａとで、操作環７に加えられた力を目当て環５に伝達して目当て環５をアタッチメント部品３の中心軸方向（レンズ１５，１６の光軸方向と一致する）へ移動させる伝達手段が構成されている。
【００３０】
アタッチメント１を接眼レンズ鏡筒２１に装着するには以下のようにする。
【００３１】
予め、レンズ保持筒２３内に、第１支持筒２４とレンズ１５と第２の支持筒２５とレンズ１６とを収容しておく。
【００３２】
次に、固定環９の外周面に目当て環５を装着し、目当て環５の外周面に操作環７を装着し、操作環７の外周面にアタッチメント部品３を装着した状態で、固定環９の雌ねじ９ｂをレンズ保持筒２３の雄ねじ２３ｇにねじ込み、固定環９の前端面を鏡筒本体２２のフランジ部２２ａに付き当てる。この状態で、レンズ押え２６の雄ねじ２６ｄをレンズ保持筒２３の雌ねじ２３ｆにねじ込むと、固定筒９は鏡筒本体２２のフランジ部２２ａとレンズ押え２６のフランジ部２６ｃとで挟まれ、正確に位置決めされる。
【００３３】
固定筒９が固定されると、アタッチメント部品３の環状突起３ｄは固定環９の第１フランジ部９ｃと鏡筒本体２２のフランジ部２２ａとの間に配置される。その結果、アタッチメント部品３はレンズ１５，１６の光軸方向へ動くことはできないが、光軸回りへ回転することができる。
【００３４】
また、固定筒９が固定されると、操作環７の環状突起７ｃは固定環９の第２フランジ部９ｄと鏡筒本体２２のフランジ部２２ａとの間に配置される。その結果、操作環７は光軸方向へは動くことができないが、光軸回りへ回転することができる。
【００３５】
次に、この実施形態の動作について説明する。
【００３６】
操作環７が図４Ａに示す状態であるとき、ピン１１は固定環９のカム溝９ａの一端部９ａ−１上に位置し（図２参照）、また、目当て環５の凸部５ｄが固定環９に形成された凹部９ｅ−１に嵌合し（図３参照）、操作環７が軽くロックされた状態にあり、目当て環５は操作環７内に完全に収容されている。この状態は望遠鏡にカメラを装着するときの状態である。
【００３７】
操作環７に周方向へやや強く力を加えると、凸部５ｄが凹部９ｅ−１から抜け、操作環７が回転する。操作環７が回転すると、ピン１１は固定環９のカム溝９ａに案内されて、カム溝９ａの中間部９ａ−２に達する。このとき、目当て環５のアーム５ｃの凸部５ｄは固定環９に形成された凹部９ｅ−２に入り、操作環７が軽くロックされる。このときのピン１１の動きに応じて目当て環５は光軸回りへ回転しながら、光軸方向へ移動する。その結果、図４Ｂに示すように、目当て環５の後端部に装着した目当てゴム１３が操作環７から突出する。この状態は眼鏡をかけて望遠鏡２０を使用するのに適する。
【００３８】
図４Ｂに示す状態から、操作環７に回転力を加えると、凸部５ｄが凹部９ｅ−２から抜け、操作環７が回転可能となる。操作環７が回転すると、ピン１１がカム溝９ａの中間部９ａ−２からカム溝９ａの他端部９ａ−３まで移動する。このときのピン１１の動きに応じて目当て環５は光軸回りへ回転しながら、光軸方向へ移動する。その結果、図４Ｃに示すように、目当て環５が操作環７から更に突出する。この状態は裸眼で望遠鏡２０を使用するのに適する。
【００３９】
図５に示すように、望遠鏡２０にカメラ４１を装着するには、カメラブラケット４２を用いる。
【００４０】
カメラブラケット４２は小径部４２ａとフランジ部４２ｂと中間径部４２ｃと大径部４２ｄとを有する。
【００４１】
小径部４２ａはカメラ４１のボディ４１１の前面に形成された凸部４１１ａｓに嵌合する。
【００４２】
フランジ部４２ｂは小径部４２ａと中間径部４２ｃとの間に介在する。フランジ部４２ｂの下部にはカメラ固定板４２ｅが固定されている。カメラ４１は取付ねじ４１２によってカメラ固定板４２ｅに取り付けられている。
【００４３】
フランジ部４２ｂの上部にはレリーズ板４２ｆが固定されている。レリーズ板４２ｆにはレリーズ４４が取り付けられている。
【００４４】
中間径部４２ｃの内周面には環状突起４２ｇが形成されている。環状突起４２ｇは操作環７の後端面に突き当たる。これにより、望遠鏡２０のレンズ１５，１６とカメラ４１の対物レンズ４１３との間隔αが正確に決められる。間隔αはカメラ４１の光学的特性に重要な値であり、このαの値が不正確であると、写真の四隅が暗くなる、いわゆるケラレの問題が生じる。
【００４５】
大径部４２ｄには周方向へ等間隔に３つの固定ねじ４３が取り付けられてる。３つの固定ねじ４３をアタッチメント部品３の小径部３ｂに押し付けることによってカメラブラケット４２がアタッチメント１に固定される。その結果、望遠鏡２０にカメラ４１が接続される。
【００４６】
この実施形態によれば、カメラ４１を望遠鏡２０に固定するために、望遠鏡２０から部品を外し、その代わりに他の特別な部品を取り付けるような作業が必要でない。したがって、特別な部品を携帯する煩わしさが無く、簡単にカメラ４１を望遠鏡２０に接続することができる。
【００４７】
また、カメラブラケット４２をアタッチメント１から外し、カメラを装着しない状態での視察を行うに際して操作環７を回せば、目当て環５を突出させることができ、目とレンズ１５，１６との間隔を適正に保つことができる。
【００４８】
図６は図１に示すアタッチメントの変形例の断面を示す概念図である。
【００４９】
第１の実施形態と共通する部分については同一符号を付してその説明を省略する。以下、主な相違部分についてだけ説明する。
【００５０】
この変形例と第１の実施形態とは、アタッチメント部品１０３とカメラブラケット１４２との結合構造の点で異なる。
【００５１】
この変形例では、アタッチメント部品１０３として一定の外径を有する円筒体を採用し、その外周面に雄ねじ１０３ｅを形成した。
【００５２】
カメラブラケット１４２の内周面には雄ねじ１０３ｅと螺合する雌ねじ１４２ｈを形成した。
【００５３】
アタッチメント部品１０３の雄ねじ１０３ｅをカメラブラケット１４２の雌ねじ１４２ｈに螺合することにより、アタッチメント１０１とカメラブラケット１４２とが結合される。
【００５４】
この変形例によれば、第１の実施形態と同様の作用効果を奏すると共に、固定ねじ４３が不要となるので、外観上有効である。
【００５５】
図７は図１に示すアタッチメントの他の変形例の断面を示す概念図である。
【００５６】
第１の実施形態と共通する部分については同一符号を付してその説明を省略する。以下、主な相違部分についてだけ説明する。
【００５７】
この変形例と第１の実施形態とは、アタッチメント部品１１０３とカメラブラケット１１４２との結合構造の点で異なる。
【００５８】
この変形例では、アタッチメント部品１１０３として一定の外径を有する円筒体を採用し、その外周面とカメラブラケット１１４２の内周面とを接触させた。
【００５９】
カメラブラケット１１４２の前端部の外周面には雄ねじ１１４２ｉが形成されている。雄ねじ１１４２ｉに固定リング１１４５の内周面に形成された雌ねじ１１４５ａを螺合させることによって、カメラブラケット１１４２の前端部に固定リング１１４５が固定される。その結果、カメラブラケット１１４２のフランジ部４２ｇが操作環７に付き当てられ、固定リング１１４５の環状突起１１４５ｂが鏡筒本体２２のフランジ部２２ａに付き当てられ、カメラブラケット１１４２がアタッチメント１１０１に固定される。
【００６０】
この変形例によれば、第１の実施形態と同様の作用効果を奏すると共に、カメラと望遠鏡との固定をより強固なものにすることができる。
【００６１】
図８はこの発明の第２の実施形態の係るアタッチメントの断面を示す断面図、図９Ａは図８に示すアタッチメントの目当て環が引っ込んだ状態を示す側面図、図９Ｂは同アタッチメントの目当てゴムが突出した状態を示す側面図、図９Ｃは同アタッチメントの目当て環が突出した状態を示す側面図である。
【００６２】
第１実施形態と共通する部分については同一符号を付してその説明を省略する。以下、主な相違部分についてだけ説明する。
【００６３】
第２の実施形態は第１操作環２０７と第２操作環２０８とを有する。
【００６４】
アタッチメント部品２０３の後端側に大径部２０３ａが形成され、前端側に小径部２０３ｂが形成されている。大径部２０３ａは目当て環５の後端部を覆うようにカメラの方へ延びている。大径部２０３ａの外周面には環状溝２０３ｇが形成されている。
【００６５】
第１操作環２０７は円筒状であり、アタッチメント部品２０３と目当て環５との間に摺動可能に配置されている。第１操作環２０７にはカム溝２０７ａが形成されている。
【００６６】
第２操作環２０８はほぼリング状であり、アタッチメント部品２０３の小径部２０３ｂに回転可能に配置されている。第２操作環２０８はピン１２によって第１操作環２０７に連結されている。したがって、第２操作環２０８を回転させると、第１操作環２０７も回転する。
【００６７】
固定環２０９には直線状溝２０９ａが形成されている。直線状溝２０９ａはレンズ１５，１６の光軸方向へ延びている。
【００６８】
ピン１１の頭部１１ａは第１の操作環２０７のカム溝２０７ａに挿入され、ピン１１の軸部１１ｂは固定環２０９の直線状溝２０９ａに挿入されている。
【００６９】
図９Ａに示される第２操作環２０８を回転させると、第１操作環２０７も回転し、ピン１１の頭部１１ａはカム溝２０７ａに沿って相対移動する。このとき、ピン１１の頭部１１ａはカム溝２０７ａから周方向の力と光軸方向の力を受けるが、固定環２０９の直線状溝２０９ａによってピン１１の軸部１１ｂの周方向の動きが規制されるので、ピン１１は光軸方向へ移動する。その結果、ピン１１によって目当て環５が光軸方向へ動き、図９Ｂに示すように目当てゴム１３がアタッチメント部品２０３から突出する。
【００７０】
更に、第２操作環２０８を回転させると、ピン１１が更に光軸方向へ移動し、図９Ｃに示すように、目立て環５の後端部がアタッチメント部品２０３から突出する。第２操作環８を回転させたとき、目当て環５は光軸回りへ回転しない。
【００７１】
第２の実施形態は第１実施形態と同様の作用効果を奏するとともに、目立て環５が光軸方向へ移動するときに目当て環５が光軸回りへ回転しないので、例えば、目当て環５の後端面を人の顔面のカーブにフィットする曲面にすることができる。
【００７２】
図１０はこの発明の第３の実施形態の係るアタッチメントの断面を示す断面図、図１１Ａは図１０に示すアタッチメントの繰出し環が引っ込んだ状態を示す側面図、図１１Ｂは同アタッチメントの繰出し環がやや繰り出した状態を示す側面図、図１１Ｃは同アタッチメントの繰出し環が最も繰り出した状態を示す側面図である。
【００７３】
第１の実施形態と共通する部分については同一符号を付してその説明を省略する。以下、主な相違部分についてだけ説明する。
【００７４】
図１０に示すように、アタッチメント３０１はアタッチメント部品３０３と繰出し環３０６と固定環３０９とピン３１１とを備えている。アタッチメント３０１は接眼レンズ鏡筒２１の外周面に装着されている。
【００７５】
アタッチメント部品３０３は大径部３０３ａと小径部３０３ｂとを有している。大径部３ａの前端部の内周面には環状突起３０３ｄが形成されている。小径部３０３ｂは大径部３０３ａの後端部に連結されている。
【００７６】
繰出し環３０６はほぼ円筒状であり、金属製である。繰出し環３０６は第１の実施形態の目当て環５と操作環７の機能を有する。繰出し環３０６の前端部には３つの孔３０６ａが周方向へ等間隔に形成されている。繰出し環３０６の後端部には大径部３０６ｃが形成されている。大径部３０６ｃの外径はアタッチメント部品３０３の内径よりも大きい。大径部３０６ｃには目当てゴム３１３が装着されている。繰出し環３０６の後端面には環状突起３０６ｄが形成されている。環状突起３０６ｄは目当てゴム３１３によって覆われない。大径部３０６ｃを除き、繰出し環３０６はアタッチメント部品３０３と固定環３０９との間に摺動可能に配置されている。
【００７７】
固定環３０９は円筒状であり、カム溝３０９ａが形成されている。また、固定環９の前端部の外周面にはフランジ部３０９ｃが形成されている。
【００７８】
ピン３１１の頭部３１１ａは孔３０６ａに保持され、ピン３１１の軸部３１１ｂは孔３０６ａを介して、固定環３０９のカム溝３０９ａに挿入される。
【００７９】
ピン３１１とカム溝３０９ａとで、アタッチメント部品３０３の中心軸（レンズ１５，１６の光軸に一致する）周りの繰出し環３０６の回転を繰出し環３０６のアタッチメント部品３０３の中心軸方向への動きに変換する運動変換手段が構成される。
【００８０】
アタッチメント３０１を接眼レンズ鏡筒２１に装着するには以下のようにする。
【００８１】
予め、レンズ保持筒２３内に、第１支持筒２４とレンズ１５と第２の支持筒２５とレンズ１５を配置する。
【００８２】
次に、固定環３０９の外周面に繰出し環３０６を装着し、繰出し環３０６の外周面にアタッチメント部品３０３を装着した状態で、固定環３０９の雌ねじ９ｂをレンズ保持筒２３の雄ねじ２３ｇにねじ込み、固定環３０９の前端面を鏡筒本体２２のフランジ部２２ａに付き当てる。この状態で、レンズ押え２６の雄ねじ２６ｄをレンズ保持筒２３の雌ねじ２３ｆにねじ込むと、固定筒３０９は鏡筒本体２２のフランジ部２２ａとレンズ押え２６のフランジ部２６ｃとで挟まれ、正確に位置決めされる。
【００８３】
固定筒３０９が固定されると、アタッチメント部品３０３の環状突起３０３ｄは固定環３０９のフランジ部３０９ｃと鏡筒本体２２のフランジ部２２ａとの間に配置される。その結果、アタッチメント部品３０３はレンズ１５，１６の光軸方向へ動くことはできないが、光軸回りへ回転することができる。
【００８４】
次に、この実施形態の動作について説明する。
【００８５】
図１１Ａに示す状態は望遠鏡にカメラを装着するときの状態である。図１１Ａに示す状態で、目当てゴム３１３を摘んで繰出し環３０６に回転力を加えると、繰出し環３０６が回転する。繰出し環３０６が回転すると、ピン３１１の軸部３１１ｂは固定環３０９のカム溝３０９ａに案内される。このときのピン３１１の動きに応じて繰出し環３０６は光軸回りへ回転しながら、光軸方向へ移動する。その結果、図１１Ｂに示すように、目当てゴム３１３がアタッチメント部品３０３からやや離れ、繰出し環３０６の一部が露出する。この状態は眼鏡をかけて望遠鏡２０を使用するのに適する。
【００８６】
図１１Ｂに示す状態から、目当てゴム３１３を摘んで繰出し環３０６に回転力を加えると、ピン３１１がカム溝３０９ａの一端まで移動する。このときのピン３１１の動きに応じて繰出し環３０６は光軸回りへ回転しながら、光軸方向へ移動する。その結果、図１１Ｃに示すように、繰出し環３０６がアタッチメント部品３０３から大きく突出する。この状態は裸眼で望遠鏡２０を使用するのに適する。
【００８７】
図１１Ａに示す状態でカメラブラケット４２（図５参照）をアタッチメント３０１に装着すると、カメラブラケット４２のフランジ部４２ｇは目当てゴム３１３に突き当たらずに、繰出し環３０６の環状突起３０６ｄ（図１０参照）に突き当たるので、レンズ１６と対物レンズ４１３との間隔αが正確に決まる。
【００８８】
第３の実施形態は第１の実施形態と同様の作用効果を奏する。
【００８９】
図１２はこの発明の第４の実施形態の係るアタッチメントの断面を示す断面図、図１３Ａは図１２に示すアタッチメントの繰出し環が引き込んだ状態を示す側面図、図１３Ｂは同アタッチメントの繰出し環がやや繰り出した状態を示す側面図、図１３Ｃは同アタッチメントの繰出し環が最も繰り出した状態を示す側面図である。
【００９０】
第４の実施形態は第３の実施形態とほぼ同じ構成であるので、第１、３の実施形態と共通する部分については同一符号を付してその説明を省略する。以下、第３の実施形態との主な相違部分についてだけ説明する。
【００９１】
第３の実施形態の固定環３０９にはカム溝３０９ａが形成されているが、第４の実施形態の固定環４０９には直線状溝４０９ａが形成されている。直線状溝４０９ａはピン３１１をレンズ１５，１６の光軸方向へ案内する。
【００９２】
次に、この実施形態の動作について説明する。
【００９３】
図１３Ａに示す状態で、目当てゴム３１３を摘んで繰出し環３０６にレンズ１５，１６の光軸方向の力を加えると、繰出し環６が光軸方向へ移動する。このとき、固定環４０９の直線状溝４０９ａはピン３１１を光軸方向へ案内する。その結果、図１３Ｂに示すように、目当てゴム３１３が光軸方向に沿って移動し、アタッチメント部品３０３からやや離れ、繰出し環６の一部が露出する。
【００９４】
図１３Ｂに示す状態から、目当てゴム３１３を摘んで繰出し環３０６を光軸方向へ引っ張ると、ピン３１１が直線状溝４０９ａの一端まで移動して止まり、ピン３１１が止まると繰出し環３０６も止まる。その結果、図１３Ｃに示すように、繰出し環３０６がアタッチメント部品３０３から大きく突出する。
【００９５】
第４の実施形態は第３の実施形態と同様の作用効果を奏する。
【００９６】
図１４はこの発明の第５の実施形態の係るアタッチメントの断面を示す断面図、図１５Ａは図１４に示すアタッチメントのアタッチメント部品が引っ込んだ状態を示す側面図、図１５Ｂは同アタッチメントのアタッチメント部品が少し突出した状態を示す側面図、図１５Ｃは同アタッチメントのアタッチメント部品が最も突出した状態を示す側面図である。
【００９７】
第１実施形態と共通する部分については同一符号を付してその説明を省略する。以下、主な相違部分についてだけ説明する。
【００９８】
図１４に示すように、アタッチメント５０１はアタッチメント部品５０３とカム環５０６とねじ５１１とを備えている。アタッチメント５０１は接眼レンズ鏡筒５２１の外周面に装着されている。
【００９９】
接眼レンズ鏡筒５２１はフランジ部５２１ａとレンズ保持部５２１ｂとを有する。
【０１００】
レンズ保持部５２１ｂは小径部５２１ｃと大径部５２１ｄとを有する。大径部５２１ｄの内周面には雌ねじ５２１ｅが形成され、大径部５２１ｄの外周面にはねじ孔５２１ｆが形成されている。
【０１０１】
レンズ保持部５２１ｄ内には、第１、第２支持筒２４，２５、レンズ１５及びレンズ１６が配置されている。
【０１０２】
レンズ１５，１６を押さえ付けるレンズ押え５２６はほぼ有底円筒状であり、その後端部には凹部５２６ａが形成されているとともに、開口５２６ｂが形成されている。また、レンズ押え５２６の後端部の外周面にはフランジ部５２６ｃが形成されている。レンズ押さえ２６の前端部の外周面には雄ねじ５２６ｄが形成されている。フランジ部５２６ｃには環状切欠５２６ｅが形成されている。
【０１０３】
アタッチメント部品５０３の外周面には環状溝５０３ａが形成されている。アタッチメント部品５０３の前端部の内周面には環状突起５０３ｂが形成されている。環状突起５０３ｂはカム環５０６の前端面と当接する。アタッチメント部品５０３は第１の実施形態の目当て環５及び操作環７の機能と同様の機能を有する。
【０１０４】
カム環５０６は円筒状である。カム環５０６にはカム溝５０６ａが形成されている。カム環５０６の後端部の内周面には環状突起５０６ｂが形成されている。環状突起５０６ｂはレンズ押え５２６の環状切欠５２６ｅに収まる。カム環５０６はアタッチメント部品５０３と一体化されている。
【０１０５】
ねじ５１１は頭部５１１ａとねじ部５１１ｂとを有する。ねじ５１１のねじ部５１１ｂをねじ孔５２１ｆに螺合している。ねじ５１１の頭部５１１ａはカム環５０６のカム溝５０６ａに摺動可能に挿入されている。
【０１０６】
ねじ５１１とカム環５０６とでアタッチメント部品５０３の回転運動をアタッチメント部品５０３のその中心軸方向（レンズ１５，１６の光軸方向に一致）への動きに変換する運動変換手段が構成されている。
【０１０７】
次に、この実施形態の動作について説明する。
【０１０８】
図１５Ａに示す状態で、アタッチメント部品５０３を摘んでアタッチメント部品５０３にその周方向の力を加えると、アタッチメント部品５０３が回転する。アタッチメント部品５０３が回転すると、ねじ５１１はカム溝５０６ａ内を相対的に移動する。ねじ５１１のカム溝５０６ａ内の相対的な動きに応じてアタッチメント部品３０３は光軸回りへ回転しながら、光軸方向へ移動する。その結果、図１５Ｂに示すように、アタッチメント５０１がフランジ部５２１ａからやや離れる。
【０１０９】
図１５Ｂに示す状態から、アタッチメント部品５０３を回転させると、ねじ５１１が相対的にカム溝５０６ａの一端まで移動する。このときのねじ５１１の相対的な動きに応じてアタッチメント部品５０３は光軸回りへ回転しながら、光軸方向へ移動する。その結果、図１５Ｃに示すように、フランジ部５２１ａからアタッチメント部品５０３が大きく離れる。
【０１１０】
第５の実施形態は第１の実施形態と同様の作用効果を奏する。
【図面の簡単な説明】
【０１１１】
【図１】図１はこの発明の第１の実施形態に係るアタッチメントの縦断面を示す概念図である。
【図２】図２は図１に示すアタッチメントの伝達手段を説明するための概念図である。
【図３】図３は図１に示すアタッチメントの横断面を示す概念図である。
【図４Ａ】図４Ａは図１に示すアタッチメントの目当て環が押し込まれた状態を示す側面図である。
【図４Ｂ】図４Ｂは同アタッチメントの目当てゴムが突出した状態を示す側面図である。
【図４Ｃ】図４Ｃは同アタッチメントの目当て環が更に突出した状態を示す側面図である。
【図５】図５は図１に示すアタッチメントによって望遠鏡にカメラを装着した状態の断面を示す概念図である。
【図６】図６は図１に示すアタッチメントの変形例の断面を示す概念図である。
【図７】図７は図１に示すアタッチメントの他の変形例の断面を示す概念図である。
【図８】図８はこの発明の第２の実施形態の係るアタッチメントの断面を示す断面図である。
【図９Ａ】図９Ａは図８に示すアタッチメントの目当て環が引っ込んだ状態を示す側面図である。
【図９Ｂ】図９Ｂは同アタッチメントの目当てゴムが突出した状態を示す側面図である。
【図９Ｃ】図９Ｃは同アタッチメントの目当て環が突出した状態を示す側面図である。
【図１０】図１０はこの発明の第３の実施形態の係るアタッチメントの断面を示す断面図である。
【図１１Ａ】図１１Ａは図１０に示すアタッチメントの繰出し環が引っ込んだ状態を示す側面図である。
【図１１Ｂ】図１１Ｂは同アタッチメントの繰出し環がやや繰り出した状態を示す側面図である。
【図１１Ｃ】図１１Ｃは同アタッチメントの繰出し環が最も繰り出した状態を示す側面図である。
【図１２】図１２はこの発明の第４の実施形態の係るアタッチメントの断面を示す断面図である。
【図１３Ａ】図１３Ａは図１２に示すアタッチメントの繰出し環が引き込んだ状態を示す側面図である。
【図１３Ｂ】図１３Ｂは同アタッチメントの繰出し環がやや繰り出した状態を示す側面図である。
【図１３Ｃ】図１３Ｃは同アタッチメントの繰出し環が最も繰り出した状態を示す側面図である。
【図１４】図１４はこの発明の第５の実施形態の係るアタッチメントの断面を示す断面図である。
【図１５Ａ】図１５Ａは図１４に示すアタッチメントのアタッチメント部品が引っ込んだ状態を示す側面図である。
【図１５Ｂ】図１５Ｂは同アタッチメントのアタッチメント部品が少し突出した状態を示す側面図である。
【図１５Ｃ】図１５Ｃは同アタッチメントのアタッチメント部品が最も突出した状態を示す側面図である。
【符号の説明】
【０１１２】
１，１０１，１１０１，２０１，３０１，４０１，５０１：アタッチメント、３，１０３，１１０３，２０３，３０３，４０３，５０３：アタッチメント部品、５：目当て環、３０６：繰出し環、５０６：カム環、７，２０７，２０８：操作環、９，２０９，３０９，４０９：固定環、９ａ，２０７ａ，３０９ａ，５０６ａ：カム溝、７ａ，２０９ａ，４０９ａ：直線状溝、１１，３１１，５１１：ピン。
【図１】
2009048048.tif 000003
【図２】
2009048048.tif 000004
【図３】
2009048048.tif 000005
【図４Ａ】
2009048048.tif 000006
【図４Ｂ】
2009048048.tif 000007
【図４Ｃ】
2009048048.tif 000008
【図５】
2009048048.tif 000009
【図６】
2009048048.tif 000010
【図７】
2009048048.tif 000011
【図８】
2009048048.tif 000012
【図９Ａ】
2009048048.tif 000013
【図９Ｂ】
2009048048.tif 000014
【図９Ｃ】
2009048048.tif 000015
【図１０】
2009048048.tif 000016
【図１１Ａ】
2009048048.tif 000017
【図１１Ｂ】
2009048048.tif 000018
【図１１Ｃ】
2009048048.tif 000019
【図１２】
2009048048.tif 000020
【図１３Ａ】
2009048048.tif 000021
【図１３Ｂ】
2009048048.tif 000022
【図１３Ｃ】
2009048048.tif 000023
【図１４】
2009048048.tif 000024
【図１５Ａ】
2009048048.tif 000025
【図１５Ｂ】
2009048048.tif 000026
【図１５Ｃ】
2009048048.tif 000027